(57)【特許請求の範囲】
【請求項１】
筐体の一面に配置された表示部と、
前記表示部が配置された面と同一面上、前記表示部の周囲に配置された複数の操作子と、
前記操作子に配置された照明部と、
前記表示部と前記照明部を制御する制御部と、を備え、
前記制御部は、
前記表示部に映像を表示する映像表示処理と、
前記表示部に表示される映像中、前記照明部に対応する解析対象領域に基づいて照明色を決定する照明色決定処理と、
前記照明色決定処理で決定した前記照明色で前記照明部を照明させる照明処理と、を実行することを特徴とする
情報処理装置。
【請求項２】
前記解析対象領域と、当該解析対象領域に対応する前記照明部は、前記表示部の中心を原点に規定した象限において、少なくとも同じ象限内に位置していることを特徴とする
請求項１に記載の情報処理装置。
【請求項３】
前記照明部は前記情報処理装置の前記筐体の外に配置されており、
前記情報処理装置には、前記表示部と前記照明部の配置関係が設定されていることを特徴とする
請求項１または請求項２に記載の情報処理装置。
【請求項４】
前記情報処理装置は、カラオケ楽曲の演奏を行うカラオケ装置であって、
前記表示部に表示される映像は、前記カラオケ楽曲の背景映像であることを特徴とする
請求項１から請求項３の何れか１項に記載の情報処理装置。
【発明の詳細な説明】
【技術分野】
【０００１】
本発明は、カラオケ装置等、映像を表示出力することのでき情報処理装置に関する。特に、映像を表示することに加え、照明部を制御することのできる情報処理装置に関する。
【背景技術】
【０００２】
従来、伴奏に合わせて歌唱を楽しむカラオケでは、演出の１つとして照明制御による演出が行われている。このようなカラオケにおける照明制御は、演奏される楽曲の雰囲気に合わせて行われることが通常である。
【０００３】
特許文献１には、光学センサを使用して、照明装置における発光変化タイミングを検知し、カラオケ演奏音のテンポと照明装置の点滅等のタイミングとの同期を取るカラオケ照明システムが開示されている。このカラオケ照明システムに寄れば、照明装置のタイプや使用年数等に影響を受けること無く、カラオケ演奏音の発生タイミングと照明装置における発光状態の変化タイミングとを好適に同期させることが可能となる。
【０００４】
特許文献２には、カラオケ装置から出力される背景映像選択信号に対応する制御パターンに基づき、各照明器具を制御するカラオケ用照明制御装置が開示されている。このカラオケ照明制御装置によれば、背景映像データを構成する選択データは、同一曲であっても背景映像選択信号を構成する選択データは同一曲であっても演奏する毎に異なるため、同一曲に対しても演奏毎に異なる照明演出を行うことが可能となる。
【先行技術文献】
【特許文献】
【０００５】
【特許文献１】特開２０１１−１５８６８１号公報
【特許文献２】特開平７−３０２６８６号公報
【発明の概要】
【発明が解決しようとする課題】
【０００６】
現在、カラオケ装置（コマンダとも呼ばれる）の筐体には、タッチパネルモニターが設けられており、ユーザーインターフェイスとして使用できる他、カラオケの背景映像を表示する等、カラオケの演出にも利用されている。しかしながら、タッチパネルモニターは、カラオケ装置の外部に設置される大型のモニターと比較すると小型であって、その存在感は小さい。本発明は、このようなタッチパネルモニター等、各種表示部の存在感を、そのサイズよりも大きく拡張することを１つの目的としている。
【課題を解決するための手段】
【０００７】
そのため、本発明に係る情報処理装置は以下の構成を採用するものである。
筐体の一面に配置された表示部と、
前記表示部が配置された面と同一面上、前記表示部の周囲に配置された複数の操作子と、
前記操作子に配置された照明部と、
前記表示部と前記照明部を制御する制御部と、を備え、
前記制御部は、
前記表示部に映像を表示する映像表示処理と、
前記表示部に表示される映像中、前記照明部に対応する解析対象領域に基づいて照明色を決定する照明色決定処理と、
前記照明色決定処理で決定した前記照明色で前記照明部を照明させる照明処理と、を実行することを特徴とする
【０００８】
さらに本発明に係る情報処理装置において、
前記解析対象領域と、当該解析対象領域に対応する前記照明部は、前記表示部の中心を原点に規定した象限において、少なくとも同じ象限内に位置していることを特徴とする。
【００１１】
さらに本発明に係る情報処理装置において、
前記照明部は前記情報処理装置の前記筐体の外に配置されており、
前記情報処理装置には、前記表示部と前記照明部の配置関係が設定されていることを特徴とする。
【００１２】
さらに本発明に係る情報処理装置において、
前記情報処理装置は、カラオケ楽曲の演奏を行うカラオケ装置であって、
前記表示部に表示される映像は、前記カラオケ楽曲の背景映像であることを特徴とする。
【発明の効果】
【００１３】
本発明に係る情報処理装置では、表示部の周囲に照明部を配置し、表示部に表示される映像中、照明部に対応する解析対象領域に基づいて照明部の照明色を決定し、照明部を照明させることとしている。このような構成により、表示部に表示される映像に広がり感を持たせ、表示部の存在感をそのサイズよりも大きくすることが可能となる。
【００１４】
さらに本発明に係る情報処理装置では、解析対象領域とそれに対応する照明部とを、表示部の中心を原点に規定した象限において、少なくとも同じ象限内に位置させることとしている。このような構成により、表示部に表示される映像と照明色の間の繋がり感を滑らかなものとし、表示部に表示される映像の広がり感を、より効果的にすることとが可能となる。
【００１５】
さらに本発明に係る情報処理装置において、表示部と照明部は、情報処理装置の筐体に配置されていることとしている。このような構成では、予め表示部と照明部の位置が決まっているため、照明部の照明色を決める解析対象領域を適切に選択でき、表示部に表示される映像の広がり感を、より効果的にすることが可能となる。
【００１６】
さらに本発明に係る情報処理装置では、照明部を情報処理装置において各種設定を行う操作部に設けることとしている。このような構成により、照明部と操作部を兼用することで、情報処理装置の外観のデザイン性向上を図ることが可能となる。また、操作部が照明されるため、操作部の操作性も向上することとなる。
【００１７】
さらに本発明に係る情報処理装置において、照明部は情報処理装置の筐体外に配置してもよい。照明部の配置が筐体内に留まらないことで、照明部を自由な位置に配置して、バリエーション豊かな照明演出を行うことが可能となる。その際には、情報処理装置には、表示部と前記照明部の配置関係が設定されていることが必要とされる。
【００１８】
さらに本発明に係る情報処理装置は、カラオケ装置に適用することしてもよい。歌唱を行う際の光による演出効果をより効果的なものとすることが可能となる。
【図面の簡単な説明】
【００１９】
【図１】第１実施形態のカラオケシステムを示す図
【図２】第１実施形態の楽曲情報のデータ構成を示す図
【図３】第１実施形態のカラオケ装置の正面図
【図４】第１実施形態の操作ノブの照明構成を示すブロック図
【図５】第１実施形態の操作ノブと表示映像の解析対象領域の対応関係を示す図
【図６】第１実施形態の操作ノブと表示映像の解析対象領域の対応関係（変形例）を示す図
【図７】第２実施形態のカラオケ装置の正面図
【図８】第２実施形態の操作スイッチの照明構成を示すブロック図
【図９】第２実施形態の操作スイッチと表示映像の解析対象領域の対応関係を示す図
【図１０】第２実施形態の操作スイッチと表示映像の解析対象領域の対応関係（変形例）を示す図
【図１１】第３実施形態の照明構成を説明するための図
【図１２】第４実施形態の照明構成を説明するための図
【発明を実施するための形態】
【００２０】
本発明の情報処理装置についてカラオケ装置２を例にとって説明する。図１は、本実施形態のカラオケシステムの構成を示す図である。本実施形態におけるカラオケシステムは、カラオケ装置２（コマンダ）と、リモコン装置１を含んで構成されている。カラオケ装置２とリモコン装置１は、ＬＡＮ１００及びアクセスポイント１３０を利用してネットワークを形成するように接続されている。
【００２１】
カラオケボックスなどの店舗に設置されるカラオケ装置２は、楽曲を演奏するための演奏部として音響制御部２６を備えている。また、カラオケ装置２は、ユーザーからの各種入力を受け付ける操作部６を備える。カラオケ装置２は、操作部６からの入力を解釈してＣＰＵ２１に伝達する操作処理部２２を備える。また、カラオケ装置２は、各種情報を記憶する記憶部としてのハードディスク２５を備える。カラオケ装置２は、ＬＡＮ１００に接続してネットワークに加入する通信手段としてのＬＡＮ通信部２４ａを備えている。
【００２２】
また、カラオケ装置２は、モニター４１に対して歌詞映像、背景映像を表示させる映像再生手段を備える。この映像再生手段は、映像情報に基づいて映像を再生する映像再生部２８ａ、再生する映像を一時的に蓄積するビデオＲＡＭ２８ｂ、再生された映像に対する歌詞テロップの重畳、映像効
果の付与等を行う映像制御部２８ｃを備えて構成される。
【００２３】
さらに、このカラオケ装置２では、外部に接続されるモニター４１以外に、タッチパネルモニター２９に対して各種情報を表示することを可能としている。タッチパネルモニター２９は映像制御部３１から入力された映像情報を表示する表示部２９ａと、タッチ入力された位置を操作処理部２２に出力するタッチパネル２９ｂが重畳されて構成されている。このタッチパネルモニター２９は、カラオケ装置２の操作部６、あるいは、リモコン装置１のタッチパネルモニター１１などと同様、入力部として機能する。ユーザーは、タッチパネルモニター２９にて楽曲を選択することで、直接カラオケ装置２に予約させる等、カラオケ装置２に対する各種操作を行うことが可能である。
【００２４】
さらに、カラオケ装置２は、各構成を統括して制御するためのＣＰＵ２１、各種プログラムを実行するにあたって必要となる情報を一時記憶するためのメモリ２７を含んだ制御部を備えて構成されている。
【００２５】
このような構成にてカラオケ装置２は、各種処理を実行することとなるが、カラオケ装置２の主な機能として、楽曲予約処理、楽曲再生処理などを実行可能としている。楽曲予約処理は、ユーザーからの指定に基づいて楽曲を指定、予約するための処理であってリモコン装置１と連携して実行される。リモコン装置１の選曲処理で形成された予約情報は、カラオケ装置２に送信される。カラオケ装置２は、受信した予約情報をメモリ２７中の予約テーブルに登録する。楽曲再生処理は、予約された楽曲を再生させる処理であって、楽曲演奏処理と歌詞表示処理とが同期して実行される処理である。
【００２６】
楽曲演奏処理は、楽曲情報に含まれる演奏情報に基づき、音響制御部２６に演奏を実行させる処理である。音響制御部２６にて演奏された楽曲は、マイクロホン４３ａ、４３ｂから入力される歌唱音声と一緒にスピーカー４２から放音される。歌詞再生処理は、楽曲情報に含まれる歌詞情報をモニター４１に表示させることで歌唱補助を行う処理である。この他、楽曲再生処理では、背景映像を表示する背景映像表示処理を実行可能としている。
【００２７】
図２は、本実施形態の楽曲情報のデータ構成を示した図である。楽曲情報は、楽曲情報に関連する各種情報を含んだ属性情報と、演奏や歌詞の表示といった各種処理を実行するための実情報を有している。属性情報には、楽曲情報を識別するための楽曲ＩＤ、楽曲名、歌手名、作詞者名、作曲者名等の楽曲関連情報を有している。楽曲関連情報は、ユーザーが楽曲を検索する際の検索対象項目として使用することが可能である。実情報には、演奏情報、歌詞情報、歌唱評価情報が含まれている。演奏情報は、ＭＩＤＩ規格に基づいて電子楽器用の制御情報、あるいは、実際の演奏を録音した圧縮音声情報等を含んで構成された、楽曲演奏処理に使用される情報である。歌詞情報は、歌唱補助のため、演奏情報に同期して表示される情報であり、歌詞表示処理に使用される。歌詞情報は、演奏に同期して表示された歌詞の色替えできるように構成してもよい。背景映像情報は、背景映像表示処理に使用される情報である。楽曲の演奏時、この背景映像情報を再生することで、楽曲の雰囲気にあった背景映像がモニター４１に表示される。なお、本実施形態では、背景映像をモニター４１のみならず、カラオケ装置２のフロントパネル２０に設けられたタッチパネルモニター２９に対も表示することとしている。
【００２８】
一方、リモコン装置１は、ユーザーからの指示に基づいて楽曲を検索し、再生指示のあった楽曲について予約情報をカラオケ装置２に送信する選曲処理を実行可能としている。また、リモコン装置１は、カラオケ装置２あるいはインターネット上に接続されたサーバー装置５から各種情報を受信し、各種処理を実行することが可能である。本実施形態では、ユーザーから各種指示を受け付けるユーザーインターフェイスとして、操作部１７と、タッチパネルモニター１１を備えている。タッチパネルモニター１１は、表示部１１ａとタッチパネル１１ｂを有して構成され、表示部１１ａに各種インターフェイスを表示するとともに、ユーザーからのタッチ入力を受付可能としている。
【００２９】
さらにリモコン装置１は、選曲処理に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニター１１に対して表示する映像を形成する映像制御部１３、表示する映像情報を一時的に蓄えるビデオＲＡＭ１２、タッチパネルモニター１１あるいは操作部１７からの入力を解釈してＣＰＵ１５に伝える操作処理部１８が含まれている。
【００３０】
リモコン装置１は、無線ＬＡＮ通信部１６によって、アクセスポイント１３０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３１】
このようなリモコン装置１の構成により、ユーザーからの各種入力をタッチパネルモニター１１、あるいは、操作部１７から受付けるとともに、タッチパネルモニター１１の表示により各種情報を提供することで、カラオケ装置２に対して出力する予約情報を送信する選曲処理など、各種処理を行うことが可能となっている。
【００３２】
ところで、カラオケ装置２が設置されるナイト店、あるいは、カラオケボックスは、ある程度照明を落とすことで、照明効果による雰囲気形成が行われる。このような中、本実施形態のカラオケ装置２は、照明制御による演出機能を有したものとなっている。カラオケ装置２の照明制御について、以下にいくつかの実施形態を説明する。
【００３３】
（第１実施形態）
図３は、第１実施形態のカラオケ装置２の正面図である。このカラオケ装置２は、フロントパネル２０を使用して、照明制御による演出が行われる。カラオケ装置２の筐体を構成するフロントパネルには、中央にタッチパネルモニター２９が設けられている。タッチパネルモニター２９の周囲には、操作部６としての、操作ノブ６１ａ〜６１ｄと、操作スイッチ６２ａ〜６２ｎが設けられている。第１実施形態では、タッチパネルモニター２９の周囲に配置された４つの操作ノブ６１ａ〜６１ｂを使用して、タッチパネルモニター２９に表示される映像に連動した照明制御を行うこととしている。
【００３４】
図４は、第１実施形態の操作ノブ６１ａの照明構成を示すブロック図である。ここでは、４つの操作ノブ６１ａ〜６１ｄ中、１の操作ノブ６１ａを例に取って照明制御構成を説明する。図４の左側には、図３と同様、カラオケ装置２を正面から見たときの操作ノブ６１ａの様子が示されている。また、図４の右側には、操作ノブ６１ａの断面図、並びにその制御構成が示されている。操作ノブ６１ａは、円筒形状の操作子であって、図に示すように矢印方向に回転することで、カラオケ装置２で使用する各種パラメーターを調整することが可能である。図に示す操作ノブ６１ａは、カラオケ装置２で使用するパラメーターとしてマイクロホン４３ａ、４３ｂの音量を調整することが可能となっている。操作ノブ６１ａは、中央の非透過部６３と、その周囲に形成された透過部６４を有している。非透過部６３には、その表面に調整機能に対応した名称（この場合「マイク」）が表記されている。非透過部６３が光を透過しない素材であるのに対し、非透過部６３は、光を透過できる透明、半透明の素材となっている。
【００３５】
この操作ノブ６１ａの内側には、照明演出を行うための照明部７が設けられている。照明部７は、赤、緑、青、３色のＬＥＤ７１Ｒ、７１Ｇ、７１Ｂと、それを制御する照明コントローラー７２を有して構成されている。なお、図中、各ＬＥＤ７１Ｒ、７１Ｇ、７１Ｂは、分離した形態で示しているが、１つにパッケージ化されていてもよい。ＬＥＤ７１Ｒ、７１Ｇ、７１Ｂから発せられた光は、透過部６４を透過して、操作ノブ６１ａの周囲を照明する。照明コントローラー７２は、ＣＰＵ２１で出力された照明制御情報に基づいて、各ＬＥＤ７１Ｒ、７１Ｇ、７１Ｂを制御するＬＥＤ信号を出力する。照明制御信号には、照明色、照明の明るさ等が規定されており、照明制御情報に基づいて形成されたＬＥＤ信号を使用して、ＬＥＤ７１Ｒ、７１Ｇ、７１Ｂを点灯させることで、照明制御信号に規定されている照明色、照明の明るさにて操作ノブ６１ａの周囲が照明される。なお、照明制御情報は、少なくとも照明色を含むものであり、照明の明るさは固定の値を使用してもよい。また、第１の実施形態における照明は、このように間接照明とすることが雰囲気としての広がり間を形成する上で好ましい（他の実施形態においても同様である）。
【００３６】
照明部７は、ＣＰＵ２１によって制御される。本実施形態では、カラオケ装置２において、楽曲の演奏を行う際、タッチパネルモニター２９に背景映像情報を再生表示するとともに、再生される背景映像情報に基づいて、照明部７が制御される。楽曲演奏時、ＣＰＵ２１では、タッチパネルモニター２９に背景映像を再生表示する背景映像表示処理（Ｓ１０１）を実行する。その際、再生中の背景映像を解析処理することで、照明部７で照明する照明色、照明の明るさを決定する（Ｓ１０２）。具体的には、タッチパネルモニター２９に対する照明部７の位置（操作ノブ６１ａ〜６１ｄの位置）に基づき、各照明部７に対応する解析対象領域が使用される。なお、タッチパネルモニター２９では、背景映像表示処理（Ｓ１０１）時における背景映像の表示以外に、選曲操作等のユーザーインターフェイスに切り替えて使用することが可能である。解析対象領域８ａ〜８ｄを使用した照明制御は、背景映像等、雰囲気を形成する映像を表示する所定の表示処理時において実行し、選曲操作等のユーザーインターフェイスのための表示処理時には、照明部７ａ〜７ｄを所定色（例えば、白色等）で照明することとしてもよい。
【００３７】
図５は、第１実施形態の操作ノブ６１ａ〜６１ｄと表示映像の解析対象領域の対応関係を示す図である。操作ノブ６１ａ〜６１ｄに対応する解析対象領域８ａ〜８ｄは、タッチパネルモニター２９の画面中、操作ノブ６１ａ〜６１ｄに近い位置に設定されている。本実施形態のように、フロントパネル２０上にタッチパネルモニター２９、操作ノブ６１ａ〜６１ｄが固定されている場合には、各解析対象領域８ａ〜８ｄは固定位置とすることができる。なお、照明部７の位置（操作ノブ６１ａ〜６１ｄの位置）と、それに対応する解析対象領域８ａ〜８ｄの位置は、適宜設定した座標系において同じ象限内に位置させることが好ましい。図５の場合、タッチパネルモニター２９の中心を原点に規定した座標系を設定し、照明部７の位置（操作ノブ６１ａ〜６１ｄの位置）と、それに対応する解析対象領域８ａ〜８ｄの位置は同じ象限内に位置させている。なお、座標系取り方は、このような形態に代え、図５の座標系を適宜角度で回転させたものを使用してもよい。
【００３８】
また、解析対象領域の解析処理（Ｓ１０２）は、例えば、解析対象領域８ａ〜８ｄ内の画素について、色、明るさの平均を取ることで、照明部７に使用する照明色、照明の明るさを決定することが考えられる。あるいは、解析対象領域８ａ〜８ｄ中の各画素の色を複数カテゴリーに分類し、画素数の最も多いカテゴリーに対応した色を照明色とする（明るさについても同様に行うことが可能である）等、各種解析方法（例えば、画像の指定領域内で構成割合の大きい色の特徴量である色相や明度などを特定する、特許第４８２６５６２号など）を使用することが可能となる。解析処理（Ｓ１０２）の結果、決定された照明色、照明の明るさは、照明制御情報として照明コントローラー７２に出力される（Ｓ１０３）。照明コントローラー７２は、受信した照明制御情報に基づいて、ＬＥＤ信号を形成し、各ＬＥＤ７１Ｒ、７１Ｇ、７１Ｂを点灯させることで、照明色、照明の明るさにて操作ノブ６１ａ〜６１ｄの周囲を照明することが可能である。
【００３９】
このように解析対象領域８ａ〜８ｄに対応した照明色、照明の明るさにて、操作ノブ６１ａ〜６１ｄの周囲を照明することで、タッチパネルモニター２９に表示される映像に広がり感を持たせ、タッチパネルモニター２９の存在感をそのサイズよりも大きくすることが可能となる。また、照明部７は、操作子としての操作ノブ６１ａ〜６１ｄを照明するため、暗い環境で操作されることが多い、カラオケ装置２の操作性を向上させることも可能である。
【００４０】
なお、第１実施形態では、タッチパネルモニター２９に表示される原寸大の映像中の解析対象領域８ａ〜８ｄを使用することとしているが、使用する解析対象領域８ａ〜８ｄは他の形態を採用することも可能である。図６は、第１実施形態の操作ノブ６１ａ〜６１ｄと映像の解析対象領域８ａ〜８ｄの対応関係（変形例）を示す図である。この変形例では、まず、図６（Ｂ）に示すようにタッチパネルモニター２９に表示される映像を、操作ノブ６１ａ〜６１ｄの部分にかかるまで仮想的に拡大する。拡大された映像中、操作ノブ６１ａ〜６１ｂの位置が解析対象領域８ａ〜８ｄとなる。なお、この変形例において、拡大された映像中における解析対象領域８ａ〜８ｄの形状、配置は適宜変更することが可能である。
【００４１】
（第２実施形態）
第１実施形態では、フロントパネル２０に設けられた操作ノブ６１ａ〜６１ｄを照明の対象としているが、操作部６中、他の操作子を対象とすることも可能である。図７は、第２実施形態のカラオケ装置２の正面図である。第２実施形態では、タッチパネルモニター２９の下方に設けられた操作スイッチ６２ａ〜６２ｎを照明の対象としている。図８は、第２実施形態の操作スイッチ６２ａ〜６２ｎの照明構成を示すブロック図である。操作スイッチ６２ａ〜６２とフロントパネル２０の間には、開口Ｓが設けられており、照明部７から発せられた光は、この開口Ｓを通じてタッチパネルモニター２９の下方を間接的に照明する。
【００４２】
図８の左側には、図７と同様、カラオケ装置２を正面から見たときの操作スイッチ６２ｂ〜６２ｄの様子が示されている。また、図８の右側には、操作スイッチ６２ｂの断面図、並びにその制御構成が示されている。操作スイッチ６２ａ〜６２ｎは、押しボタンタイプのスイッチであって、図中、矢印で示す方向に移動することで、ユーザーの操作をカラオケ装置２に伝達する。操作スイッチ６２ａ〜６２ｎの裏面には、図４と同様の照明部７が設けられている。ＬＥＤ７１Ｒ、７１Ｇ、７１Ｂから発せられた光は、開口Ｓを通じてタッチパネルモニター２９の下方を間接的に照明する。
【００４３】
第２実施形態についても、ＣＰＵ２１において、背景映像表示処理（Ｓ１０１）を実行する際、解析対象領域８の解析に基づいて照明色、照明の明るさ等を決定（Ｓ１０２）し、照明部７を制御する照明制御情報が出力される（Ｓ１０３）。図９には、第２実施形態の操作スイッチ６２ａ〜６２ｎと映像の解析対象領域８の対応関係が示されている。なお、図９において紙面の都合上、操作スイッチ６２ａ以外の操作スイッチ６２ｂ〜６２ｎについてはその符号を省略して記載している（図１０も同様）。本実施形態では、タッチパネルモニター２９中、映像の下方領域を解析対象領域８として設定している。なお、本実施形態の横長に配置された操作スイッチ６２ａ〜６２ｎに対応するため、複数の照明部７ａ〜７ｆが、操作スイッチ６２ａ〜６２ｎの裏面に設けられている。この実施形態では、各照明部７ａ〜７ｆは、１の解析対象領域８に基づいて形成された照明制御情報によって制御している。そのため、タッチパネルモニター２９の下方は、同じ照明色、照明の明るさで照明される。
【００４４】
図９のような１の解析対象領域８を使用することに代え、複数の解析対象領域を使用することとしてもよい。図１０は、第２実施形態の操作スイッチ６２ａ〜６２ｎと、映像の解析対象領域の対応関係（変形例）を示す図である。この変形例では、各照明部７ａ〜７ｆに対応して解析対象領域８ａ〜８ｆを設定している。このような構成によれば、図９で説明した形態よりも、より映像と照明の繋がりを滑らかなものとすることが可能となる。
【００４５】
（第３実施形態）
また、タッチパネルモニター２９の存在感を、カラオケ装置２の筐体まで拡大する場合は、フロントパネル２０の外周に照明部７を設ければよい。図１１は、照明部７の配置形態の異なる第３実施形態の照明構成を示す図である。第３実施形態では、フロントパネル２０の周囲を取り囲むように照明部７ａ〜７ｚを配置している。なお、照明部７ａ〜７ｚは、前実施形態と同様、間接照明とすることが好ましい。これら照明部７ａ〜７ｚは、タッチパネルモニター２９内に示されている解析領域８ａ〜８ｚ（添字のアルファベットが同じものが対応関係にある）が対応しており、解析領域８ａ〜８ｚの解析結果に基づき、照明部７ａ〜７ｚの照明色、明るさが制御される。なお、解析領域８ａ〜８ｚは、図１１に示すように重畳していない形態ではなく、互いに重畳していてもよい（他の実施形態も同様）。また、照明部７ａ〜７ｚと解析領域８ａ〜８ｚは、少なくとも１組が、タッチパネルモニター２９の中心を原点に規定した象限において、同じ象限内にあることとしている。なお、図に示す照明部７ａ〜７ｚの内、照明部７ｅ、７ｋ、７ｒ、７ｙのように、２つの象限を跨ぐものがあってもよい。この第３実施形態のように、筐体（この例では、フロントパネル２０）周囲に、照明部７ａ〜７ｚを設けることで、タッチパネルモニター２９の存在感を、カラオケ装置２の筐体まで拡大することが可能となる。なお、図１１の例では、筐体（フロントパネル２０）の周囲を取り囲むように照明部７ａ〜７ｚを配置しているが、筐体（フロントパネル２０）の周囲一部に設ける形態としてもよい。
【００４６】
（第４実施形態）
第１〜第３実施形態では、カラオケ装置２のフロントパネル２０に設けられた操作部６（操作ノブ６１ａ〜６１ｄ、操作スイッチ６２ａ〜６２ｎ、フロントパネル２０の外周）を対象として照明を行うことで、タッチパネルモニター２９の存在感の拡大を図っている。タッチパネルモニター２９の存在感をカラオケ装置２の筐体を超えたサイズにする場合は、カラオケ装置２による照明は、外部に設置された外部照明装置４４ａ〜４４ｄを対象としてもよい。また、解析対象となる表示映像は、タッチパネルモニター２９に表示される表示映像のみならず、外部に設置されたモニター４１であってもよい。図１２に示す第４実施形態では、モニター４１に表示される表示映像を解析対象とするとともに、モニター４１の周囲に設置された外部照明装置４４ａ〜４４ｄを制御対象としている。カラオケ装置２と各外部照明装置４４ａ〜４４ｄは、ケーブルで接続されており、各外部照明装置４４ａ〜４４ｄは、カラオケ装置２から出力される照明制御情報で、その照明色、明るさが制御される。カラオケ装置２と外部照明装置４４ａ〜４４ｄ間は、無線で制御する形態であってもよい。なお、外部照明装置４４ａ〜４４ｄには、シェード等を設けた間接照明を使用している。モニター４１及び外部照明装置４４ａ〜４４ｄは店舗内の壁面に設置されている。なお、モニター４１及び外部照明装置４４ａ〜４４ｄの設置は、このような形態のみならず、スタンドを使用して設置する等の形態であってもよい。
【００４７】
ところで、このようにモニター４１に対する外部照明装置４４ａ〜４４ｄの設置位置が自由となる場合、表示映像中の解析対象領域８ａ〜８ｄは、実際の外部照明装置４４ａ〜４４ｄの設置位置に適合させることが好ましい。第３の実施形態では、カラオケ装置２に外部照明装置４４ａ〜４４ｄの位置（モニター４１に対する外部照明装置４４ａ〜４４ｄの配置関係）をユーザーが入力することで、各解析対象領域８ａ〜８ｄが決定される。このような形態においてもモニター４１の表示映像に応じて、外部照明装置４４ａ〜４４ｄの照明色、照明の明るさが制御されため、モニター４１に表示される映像に広がり感を持たせることが可能となる。なお、外部照明装置４４ａ〜４４ｄの設置位置を入力することに代え、予め定められた位置に外部照明装置４４ａ〜４４を設置することとしてもよい。その場合、解析対象領域８ａ〜８ｄは、映像中の所定位置とすることが可能となる。
【００４８】
以上、第１〜第４実施形態について、カラオケ装置２を例に取って説明したが、本発明は、カラオケ装置２に限って適用されるものではなく、映像の表示、及び、照明部を制御可能な各種情報処理装置に適用することが可能である。
【符号の説明】
【００４９】
１：リモコン装置                       ２６：音響制御部
２：カラオケ装置                       ２７：メモリ
５：サーバー装置                       ２８ａ：映像再生部
６：操作部                             ２８ｂ：ビデオＲＡＭ
７（７ａ〜７ｆ）：照明部               ２８ｃ：映像制御部
８（８ａ〜８ｆ）：解析対象領域         ２９：タッチパネルモニター
１１：タッチパネルモニター             ２９ａ：表示部
１１ａ：表示部                         ２９ｂ：タッチパネル
１１ｂ：タッチパネル                   ３１：映像制御部
１２：ビデオＲＡＭ                     ４１：モニター
１３：映像制御部                       ４２：スピーカー
１４：メモリ                           ４３ａ、４３ｂ：マイクロホン
１５：ＣＰＵ                           ４４ａ〜４４ｄ：外部照明装置
１６：無線ＬＡＮ通信部                 ６１ａ〜６１ｄ：操作ノブ
１７：操作部                           ６２ａ〜６２ｎ：操作スイッチ
１８：操作処理部                       ６３：非透過部
２０：フロントパネル                   ６４：透明部
２１：ＣＰＵ                           ７１Ｒ、７１Ｇ、７１Ｂ：ＬＥＤ
２２：操作処理部                       ７２：照明コントローラー
２４ａ：ＬＡＮ通信部                   １３０：アクセスポイント
２５：ハードディスク
【図１】
0006740672.tif 000002
【図２】
0006740672.tif 000003
【図３】
0006740672.tif 000004
【図４】
0006740672.tif 000005
【図５】
0006740672.tif 000006
【図６】
0006740672.tif 000007
【図７】
0006740672.tif 000008
【図８】
0006740672.tif 000009
【図９】
0006740672.tif 000010
【図１０】
0006740672.tif 000011
【図１１】
0006740672.tif 000012
【図１２】
0006740672.tif 000013